(57)【要約】【課題】第３者がＩＤ又はパスワードを知得することを防止しながら、使用者が、ＩＤ又はパスワードのコードを誤入力する操作を繰り返すことを防止する。【解決手段】ＩＤ又はパスワード入力表示装置は、ＩＤ又はパスワードとして、文字等を含むコードを入力する入力装置と、入力されたコードの代替コードを表示する表示装置と、入力されたコードを記憶する記憶部と、入力装置から入力されたコードと登録されているＩＤ又はパスワードとを照合して、入力されたコードをＩＤ又はパスワードとして認証する認証装置と、制御装置とを有する。ＩＤ又はパスワードとしてコードの入力が終了した場合、及び／又は、ＩＤ又はパスワードとして入力されたコードが、認証装置によりＩＤ又はパスワードとして認証されない場合、記憶部に記憶されている入力されたコードを、表示装置に一瞬表示させる。【選択図】図１
2010066902.tif 000002
【特許請求の範囲】
【請求項１】
ＩＤ又はパスワードとして、文字、記号、及び／又は、図形を含むコードを入力する入力装置と、
ＩＤ又はパスワードとして入力されたコードの代替コードを表示する表示装置と、
ＩＤ又はパスワードとして入力されたコードを記憶する記憶部と、
前記入力装置からＩＤ又はパスワードとして入力されたコードと登録されているＩＤ又はパスワードとを照合して、入力されたコードと登録されているＩＤ又はパスワードとが一致する場合に、入力されたコードをＩＤ又はパスワードとして認証する認証装置と、
前記入力装置と、前記表示装置と、前記認証装置とを制御する制御装置と、
を有し、
ＩＤ又はパスワードとしてコードの入力が終了した場合、及び／又は、ＩＤ又はパスワードとして入力されたコードが、前記認証装置によりＩＤ又はパスワードとして認証されない場合、前記制御装置が、前記記憶部に記憶されている入力されたコードを、前記表示装置に一瞬表示させることを特徴とするＩＤ又はパスワード入力表示装置。
【請求項２】
前記ＩＤとともに生体情報が、前記入力装置から入力され、前記生体情報が、前記認証装置により認証されることを特徴とする請求項１記載のＩＤ又はパスワード入力表示装置。
【請求項３】
ＩＤ又はパスワードとして、文字、記号、及び／又は、図形を含むコードを入力するステップと、
ＩＤ又はパスワードとして入力されたコードの代替コードを表示するステップと、
ＩＤ又はパスワードとしてコードの入力が終了したことを判定するステップと、
ＩＤ又はパスワードの入力が手動で行われたと判定された場合に、入力されたコードを、前記表示装置に一瞬表示させるステップと、
を有することを特徴とするＩＤ又はパスワード入力表示方法。
【請求項４】
ＩＤ又はパスワードとして入力されたコードと登録されているＩＤ又はパスワードとを照合して、入力されたコードと登録されているＩＤ又はパスワードとが一致する場合に、入力されたコードをＩＤ又はパスワードとして認証するステップと、
入力されたコードがＩＤ又はパスワードとして認証されない場合に、入力されたコードが手動操作により入力されているか否かを判定するステップと、  
入力されたコードが手動操作により入力されていると判定された場合に、入力されたコードを、前記表示装置に一瞬表示させるステップと、
を有することを特徴とする請求項３記載のＩＤ又はパスワード入力表示方法。
【請求項５】
生体情報が、ＩＤとともに入力され、入力された生体情報により認証が行われることを特徴とする請求項３記載のＩＤ又はパスワード入力表示方法。
【発明の詳細な説明】
【技術分野】
【０００１】
目的とする装置を使用しようとする使用者に対して、ＩＤ又はパスワードの入力を要求し、入力されたＩＤ又はパスワードと予め登録されたＩＤ又はパスワードの一致を認証した後に、使用者が目的とする装置を使用することを可能とするＩＤ又はパスワード入力表示装置及び方法に関する。
【背景技術】
【０００２】
特定の建物又は領域に立ち入ることができる人が制限されている場合に、特定の建物又は領域の入り口に、入ろうとする人を認証する入退管理システムが設置される。また、パーソナルコンピュータや銀行のＡＴＭ装置のように操作する人が制限されている装置には、その装置を操作しようとする人を認証する管理システムが備えられる。
【０００３】
それらの管理システムにおいては、ＩＤの入力と生体情報又はＩＣカードからの情報により使用者の認証が行われるか、又は、パスワードの入力により使用者の認証が行われる。その際、使用者によって、それらの管理システムが備えるＩＤ又はパスワード入力表示装置からＩＤ又はパスワードを入力する操作が行われる。
【０００４】
従来のＩＤ又はパスワード入力表示装置においては、入力機器からＩＤ又はパスワードとして文字、記号、及び／又は、図形を含むコードが入力された際に、他人がＩＤ又はパスワードを知得することを防止するために、入力された文字、記号、及び／又は、図形を含むコードの代わりに、例えば、「＊」記号のような代替コードが表示装置に表示される。以下本明細書において、文字、記号、図形を総称する意味で「コード」の語を使用する。
【０００５】
従来のＩＤ又はパスワード入力表示装置の１例として、特許文献１は、予め登録されたパスワードについて、パスワードの一部を入力して認証することにより、パスワード全体が知られることを防止するパスワード認証装置を開示する。
【０００６】
従来のＩＤ又はパスワード入力表示装置の１例として、特許文献２は、第三者が表示内容や選択操作から容易にＩＤ・パスワードを推測できないようにするため、文字や画像を代替図形に置き換え、さらにランダムに移動・再配置して第三者からの覗き見されることを防止する認証装置を開示する。
【０００７】
【特許文献１】特開２００７−３２３３１０号公報
【特許文献２】特開２００８−０２７４１３号公報
【発明の開示】
【発明が解決しようとする課題】
【０００８】
上記従来技術によるＩＤ又はパスワード入力表示装置及び方法では、第３者がＩＤ又はパスワードを知得することを防止するために、ＩＤ又はパスワードとして入力されたコードの代わりに、代替コードが表示装置に表示されるので、使用者が、ＩＤ又はパスワードとして実際にどのようなコードを入力したかを確かめることができなかった。そのため、使用者が、ＩＤ又はパスワードのコードを誤入力する操作をした場合に、その後も誤入力操作を繰り返すことが多くあった。
【０００９】
本発明は、このような従来技術の有する問題を解決しようとするものであり、第３者がＩＤ又はパスワードを知得することを防止しながら、使用者が、ＩＤ又はパスワードのコードを誤入力する操作を繰り返すことを防止することが可能なＩＤ又はパスワード入力表示装置及び方法を提供することを目的とする。
【課題を解決するための手段】
【００１０】
上記目的を達成するために、本発明のＩＤ又はパスワード入力表示装置は、ＩＤ又はパスワードとして、文字、記号、及び／又は、図形を含むコードを入力する入力装置と、ＩＤ又はパスワードとして入力されたコードの代替コードを表示する表示装置と、ＩＤ又はパスワードとして入力されたコードを記憶する記憶部と、前記入力装置からＩＤ又はパスワードとして入力されたコードと登録されているＩＤ又はパスワードとを照合して、入力されたコードと登録されているＩＤ又はパスワードとが一致する場合に、入力されたコードをＩＤ又はパスワードとして認証する認証装置と、前記入力装置と、前記表示装置と、前記認証装置とを制御する制御装置と、を有し、ＩＤ又はパスワードとしてコードの入力が終了した場合、及び／又は、ＩＤ又はパスワードとして入力されたコードが、前記認証装置によりＩＤ又はパスワードとして認証されない場合、前記制御装置が、前記記憶部に記憶されている入力されたコードを、前記表示装置に一瞬表示させることを特徴とする。
【００１１】
本発明のＩＤ又はパスワード入力表示方法は、ＩＤ又はパスワードとして、文字、記号、及び／又は、図形を含むコードを入力するステップと、ＩＤ又はパスワードとして入力されたコードの代替コードを表示するステップと、ＩＤ又はパスワードとしてコードの入力が終了したことを判定するステップと、ＩＤ又はパスワードの入力が手動で行われたと判定された場合に、入力されたコードを、前記表示装置に一瞬表示させるステップと、を有することを特徴とする。
【発明の効果】
【００１２】
本発明によれば、表示装置に、ＩＤ又はパスワードとして入力されたコードを一瞬表示することにより、第３者がＩＤ又はパスワードを知得することを防止しながら、使用者が、ＩＤ又はパスワードのコードを誤入力する操作を繰り返すことを防止することが可能なＩＤ又はパスワード入力表示装置及び方法を提供することができる。
【発明を実施するための最良の形態】
【００１３】
図面に基づいて、本発明に係るＩＤ又はパスワード入力表示装置及び方法について以下に説明する。図１は、本発明に係るＩＤ又はパスワード入力表示装置の構成を示す図である。図１に示されるＩＤ又はパスワード入力表示装置は、ＩＤ又はパスワードとして文字、記号、及び／又は、図形を含むコードを入力する入力装置１と、ＩＤ又はパスワードとして入力したコードの代わりに代替コードを表示する表示装置２と、入力装置１と表示装置２とを含むＩＤ又はパスワード入力表示装置全体を制御する制御装置３と、使用者が、入力装置１を使用してＩＤ又はパスワードとして入力したコードと予め登録されたＩＤ又はパスワードを照合して、入力したコードと予め登録されたＩＤ又はパスワードが一致する場合に、入力したコードをＩＤ又はパスワードとして認証する認証装置４とを備える。
【００１４】
図１に係るＩＤ又はパスワード入力表示装置の入力装置１、表示装置２、制御装置３、及び認証装置４について更に説明する。入力装置１は、ＩＤ又はパスワードとして文字、記号、及び／又は、図形を含むコードを手動入力する際に使用されるキーボード（ＫＢＤ）１１を備える。
【００１５】
入力装置１は、特殊機能を有するファンクションキー（ＦＮＣ）１２、ＩＤ又はパスワードをＩＣカード等の媒体から入力する際に使用されるカードリーダ（Ｃａｒｄ−Ｒ／Ｗ）１３、及び／又は、パスワードとして生体認証を使用する場合に、生体情報を入力する生体情報入力機器（ＣＡＰＴ）１４とを備えても良い。生体認証として、例えば、指静脈認証、手のひら静脈認証が用いられる。生体情報を入力する生体情報入力機器１４として、例えば、生体の画像情報を読み取るスキャナが使用される。
【００１６】
図１に係るＩＤ又はパスワード入力表示装置において、表示装置２は、ＩＤ又はパスワードとして実際に入力されたコードの代わりに、代替コードを表示する。また、表示装置２は、以下に説明するように、本発明によりＩＤ又はパスワードとして実際に入力されたコードを表示する。更に、表示装置２は、制御装置３の状態を表示したり、認証装置４による認証結果等を表示しても良い。
【００１７】
図１に係るＩＤ又はパスワード入力表示装置において、制御装置３は、演算部（ＣＰＵ）３１と、記憶部３２と、入出力（Ｉ／Ｏ）コントロール部３３と、外部通信インターフェース（Ｉ／Ｆ）３４とを備え、ＩＤ又はパスワード入力表示装置全体を制御する。制御装置３においては、演算部（ＣＰＵ）３１と、記憶部３２と、入出力（Ｉ／Ｏ）コントロール部３３と、外部通信インターフェース（Ｉ／Ｆ）３４とは、バス３５によって接続され、情報の伝送と交換が行われる。
【００１８】
図１に係るＩＤ又はパスワード入力表示装置において、認証装置４は、演算部（ＣＰＵ）４１と、記憶部４２と、外部通信インターフェース（Ｉ／Ｆ）４３とを備え、入力装置１を使用してＩＤ又はパスワードとして入力したコードと予め登録されたＩＤ又はパスワードを照合して、入力したコードと予め登録されたＩＤ又はパスワードが一致する場合に、入力したコードをＩＤ又はパスワードとして認証する。
【００１９】
認証装置４は、入力装置１の生体情報入力機器（ＣＡＰＴ）１４に入力された生体情報を制御装置３を経由して取得し、ＩＤ又はパスワードによる認証とともに、生体認証によって使用者を認証しても良い。制御装置４０においては、演算部（ＣＰＵ）４１と、記憶部４２と、外部通信インターフェース（Ｉ／Ｆ）４３とは、バス４４によって接続され、情報の伝送と交換が行われる。
【００２０】
図２は、本発明のＩＤ又はパスワード入力表示方法の処理フローの一例を示す図である。図２において、ＩＤ又はパスワード入力表示装置によって行われる処理をステップＰ１〜Ｐ１０により示し、使用者によって行われる処理をステップＵ１〜Ｕ３により示す。本発明のＩＤ又はパスワード入力表示方法の処理フローの理解を容易にするために、図２では、「コード」を「文字」を例として説明する。以下の図２を説明する記載では、図２との対応が明確になるように、「コード」を「コード（文字）」と記載する。
【００２１】
使用者の動作及び／又はＩＤ又はパスワード入力表示装置の動作を契機として、表示装置２に、ＩＤ又はパスワード入力要求が表示される。生体情報入力機器（ＣＡＰＴ）１４から生体情報が入力されることを契機として、表示装置２に、ＩＤ又はパスワード入力要求が表示されるようにしても良い（ステップＰ１）。
【００２２】
使用者が、入力装置１を使用して、ＩＤ又はパスワードとして、文字、記号、及び／又は、図形を含むコードを入力する。使用者が、キーボード（ＫＢＤ）１１を使用する際は、コードの１符号（１文字）ずつ入力する（ステップＵ１）。
【００２３】
使用者によって、入力装置１にＩＤ又はパスワードとして入力された文字は、入力装置１から制御装置３に転送され、記憶部３２に記憶される。また、ＩＤ又はパスワードとして入力されたコード（文字）の代替コード（文字）は、制御装置３を介して、表示装置２に表示される（ステップＰ２）。
【００２４】
使用者は、規定されたコードの符号数（文字数）に達するまで、あるいは、表示装置２に終了マークが表示されるまで、ＩＤ又はパスワードとしてコード（文字）を入力する。使用者のコード（文字）の入力に応じて、制御装置３は、規定されたコードの符号数（文字数）に達しているか否か、すなわち、コード入力が終了しているか否かを判定する（ステップＰ３）。
【００２５】
次に、制御装置３内で、ＩＤ又はパスワードとしてコード（文字）が、手動入力装置、例えば、キーボード（ＫＢＤ）１１により入力されているか否かが判定される（ステップＰ４）。コード（文字）が手動入力装置により入力されていると判定された場合、誤り入力を繰り返すことを防止するために、記憶部３２に記憶されている入力されたコード（文字）が、表示装置２に一瞬表示され、その後、入力されたコード（文字）の代わりに、代替コード（文字）が表示される（ステップＰ５）。
【００２６】
本願発明は、使用者の手動操作による誤入力を防止することを目的とする。ＩＣカード１３又は生体情報入力装置（ＣＡＰＴ）１４から自動的に入力された情報については、手動操作による誤入力は発生しない。したがって、ＩＣカード１３又は生体情報入力装置（ＣＡＰＴ）１４から自動的に入力された情報は、他人に入力された情報の内容が知られることを防止するために、表示装置２に表示されない。
【００２７】
使用者が、表示装置２に一瞬表示された入力されたコード（文字）に関する情報を見て、入力されたコード（文字）に誤りがあるか否かを判断する（ステップＵ２）。使用者が、入力されたコード（文字）に誤りがあると判断した場合には、入力装置１の認証停止ボタンを押す（ステップＵ３）。
【００２８】
使用者が、認証停止ボタンを押す動作に応答して、制御装置３は、ステップＰ１の動作を開始する。認証停止ボタンは、キーボード（ＫＢＤ）１１に、専用ボタンとして設置されても良く、また、キーボード（ＫＢＤ）１１で他の用途に使用されるボタンと兼用で設置されても良い。
【００２９】
使用者が手動で入力された文字に誤りがあると判定しない場合（ステップＵ２）には、入力装置１を使用してＩＤ又はパスワードとして入力されたコード（文字）と予め登録されたＩＤ又はパスワードを照合して、入力したコード（文字）と予め登録されたＩＤ又はパスワードが一致する場合に、入力したコード（文字）をＩＤ又はパスワードとして認証する。ＩＤ又はパスワードによる認証とともに、生体情報による認証を行っても良い（ステップＰ６）。
【００３０】
ＩＤ又はパスワードとして入力されたコード（文字）が認証された場合、又は、ＩＤ又はパスワードとして入力されたコード（文字）と生体情報の両方が認証された場合（ステップＰ７）は、本発明のＩＤ又はパスワード入力表示装置を具備する本体装置の動作が実行される。
【００３１】
ＩＤ又はパスワードとして入力されたコード（文字）が認証されず、認証エラーとされた場合（ステップＰ７）は、ＩＤ又はパスワードとして入力されたコード（文字）が手動入力装置、例えば、キーボード（ＫＢＤ）１１を通して入力されているか否かが再び判定される（ステップＰ８）。
【００３２】
ＩＤ又はパスワードとして入力されたコード（文字）が手動入力装置を通して入力されたと判定された場合（ステップＰ８）、記憶部３２に記憶されている入力されたコード（文字）が、表示装置２に一瞬表示される。その後、表示された入力コード（文字）が、表示装置２の画面から消去される（ステップＰ９）。ＩＤ又はパスワードが手動入力装置により入力されていない場合は、入力された情報は表示されない。
【００３３】
ＩＤ又はパスワードが認証されない場合（ステップＰ７）は、エラーメッセージが、表示装置２に表示される（ステップＰ１０）。
【図面の簡単な説明】
【００３４】
【図１】本発明のＩＤ又はパスワード入力表示装置の構成を示す図である。
【図２】本発明のＩＤ又はパスワード入力表示方法によって行われる処理を示す図である。
【符号の説明】
【００３５】
１…入力装置、２…表示装置、３…制御装置、４…認証装置、１１…キーボード（ＫＢＤ）、１２…ファンクションキー（ＦＮＣ）、１３…カードリーダ（Ｃａｒｄ−Ｒ／Ｗ）、１４…生体情報入力機器（ＣＡＰＴ）、３１…演算部（ＣＰＵ）、３２…記憶部、３３…入出力（Ｉ／Ｏ）コントロール部、３４…外部通信インターフェース（Ｉ／Ｆ）レール、４１…演算部（ＣＰＵ）、４２…記憶部、４３…外部通信インターフェース（Ｉ／Ｆ）、４４…バス
【図１】
2010066902.tif 000003
【図２】
2010066902.tif 000004